(57)【要約】【課題】熱画像を用いて従来よりも高い精度で深部体温を測定できる深部体温測定装置等を提供する。【解決手段】被測定者２の深部体温を測定する深部体温測定装置１０であって、被測定者２の熱画像を取得する熱画像取得部１１と、熱画像取得部１１で取得された熱画像から深部体温推定アルゴリズムに従って被測定者２の深部体温を推定し、推定した深部体温を深部体温測定装置１０による測定結果として出力する深部体温推定部１２と、被測定者２の個人認証を行う個人認証部１３と、個人認証部１３による個人認証の結果に応じて深部体温推定アルゴリズムを変更する制御部１４とを備え、深部体温推定部１２は、制御部１４によって変更された深部体温推定アルゴリズムに従って深部体温を推定する。【選択図】図２
2018183564.tif 000002
【特許請求の範囲】
【請求項１】
被測定者の深部体温を測定する深部体温測定装置であって、
被測定者の熱画像を取得する熱画像取得部と、
前記熱画像取得部で取得された前記熱画像から深部体温推定アルゴリズムに従って前記被測定者の深部体温を推定し、推定した前記深部体温を前記深部体温測定装置による測定結果として出力する深部体温推定部と、
前記被測定者の個人認証を行う個人認証部と、
前記個人認証部による個人認証の結果に応じて前記深部体温推定アルゴリズムを変更する制御部とを備え、
前記深部体温推定部は、前記制御部によって変更された前記深部体温推定アルゴリズムに従って前記深部体温を推定する
深部体温測定装置。
【請求項２】
前記熱画像取得部は、前記被測定者を含む空間を走査することによって、前記熱画像を取得し、
前記制御部は、さらに、前記個人認証部による個人認証の結果に応じて前記熱画像取得部による走査の方法を変更する
請求項１に記載の深部体温測定装置。
【請求項３】
前記深部体温推定アルゴリズムには、前記深部体温の推定に用いられる前記熱画像における前記被測定者の部位を特定する情報が含まれる
請求項１又は２に記載の深部体温測定装置。
【請求項４】
さらに、前記熱画像取得部による前記熱画像の取得を支援する測定支援部を備える
請求項１〜３のいずれかに記載の深部体温測定装置。
【請求項５】
前記測定支援部は、前記被測定者に向けて送風する、又は、前記熱画像取得部が熱画像を取得し易くなるように音声によって前記被測定者に移動を促す出力部を有し、
前記制御部は、前記個人認証部による個人認証の結果に応じて前記測定支援部に対して動作指示を与える
請求項４に記載の深部体温測定装置。
【請求項６】
前記個人認証部は、前記被測定者を撮像する撮像機器を有し、
前記測定支援部は、前記撮像機器による撮像の態様を変更する機構を有し、
前記制御部は、前記個人認証部による個人認証の結果に応じて前記測定支援部に対して動作指示を与えることで前記撮像機器による撮像の態様を変更させる
請求項４に記載の深部体温測定装置。
【請求項７】
さらに、前記深部体温測定装置による深部体温の測定よりも高精度に深部体温を測定する高精度深部体温測定部を備え、
前記制御部は、前記高精度深部体温測定部による測定で得られた深部体温を用いて前記深部体温推定アルゴリズムを変更する
請求項１〜６のいずれかに記載の深部体温測定装置。
【請求項８】
さらに、前記被測定者に関する情報を入力するための入力部を備え、
前記制御部は、前記入力部によって入力された情報を用いて前記深部体温推定アルゴリズムを変更する
請求項１〜７のいずれかに記載の深部体温測定装置。
【請求項９】
前記個人認証部は、前記被測定者を撮像する撮像機器を有し、前記個人認証として、前記撮像機器で得られた画像から前記被測定者の識別情報、年齢、髪型、メガネの装着の有無、かかっている病気、性別、身長、人種、体重、生活情報のうちの少なくとも１つを特定する
請求項１〜８のいずれかに記載の深部体温測定装置。
【請求項１０】
さらに、前記深部体温推定部から出力された測定結果を蓄積するデータベース部を備え、
前記制御部は、前記データベース部に蓄積された測定結果を参照することで、前記深部体温推定アルゴリズムを変更する
請求項１〜９のいずれかに記載の深部体温測定装置。
【請求項１１】
さらに、前記深部体温推定部から出力された測定結果を蓄積するデータベース部を備え、
前記個人認証部は、認証アルゴリズムに従って個人認証を行い、
前記制御部は、前記データベース部に蓄積された深部体温を参照することで、前記認証アルゴリズムを変更する
請求項１〜９のいずれかに記載の深部体温測定装置。
【請求項１２】
さらに、環境を測定する環境測定部を備え、
前記制御部は、前記環境測定部で測定された環境に依存して前記深部体温推定アルゴリズムを変更する
請求項１〜１１のいずれかに記載の深部体温測定装置。
【請求項１３】
前記環境測定部は、温度計、湿度計、照度計及び風速計の少なくとも一つである
請求項１２に記載の深部体温測定装置。
【請求項１４】
さらに、前記被測定者の移動を制御する移動制御部を備え、
前記制御部は、前記個人認証部による個人認証の結果に応じて前記移動制御部に対して動作指示を与えることで前記被測定者の移動の態様を変更させる
請求項１〜１３のいずれかに記載の深部体温測定装置。
【請求項１５】
請求項１〜１４のいずれかに記載の深部体温測定装置と、
前記深部体温測定装置から出力された測定結果に基づいて前記被測定者の状態を判断する状態判断部と、
前記深部体温測定装置から出力された測定結果を通信によって外部に提供する情報通信部と
を備える深部体温測定システム。
【請求項１６】
さらに、個人情報の開示が可能な連絡先が登録された一般連絡先記憶部を備え、
前記情報通信部は、前記深部体温測定装置の測定結果を前記一般連絡先記憶部に登録された連絡先に通知する
請求項１５に記載の深部体温測定システム。
【請求項１７】
前記情報通信部は、前記深部体温測定装置から出力された測定結果から統計データを算出し、算出した前記統計データを前記深部体温測定システムの一般の利用者に提供する
請求項１５に記載の深部体温測定システム。
【請求項１８】
前記情報通信部は、前記状態判断部によって前記被測定者の状態が緊急であると判断された場合に、前記被測定者の状態が緊急であることを、緊急連絡として、前記一般の利用者に通知する
請求項１７に記載の深部体温測定システム。
【請求項１９】
さらに、緊急連絡先が登録された緊急連絡先記憶部を備え、
前記情報通信部は、前記状態判断部によって前記被測定者の状態が異常又は緊急であると判断された場合に、前記緊急連絡先記憶部に登録された緊急連絡先に、前記深部体温測定装置から出力された測定結果を通知する
請求項１５に記載の深部体温測定システム。
【請求項２０】
前記情報通信部は、前記被測定者が使用する電子機器と接続され、前記状態判断部によって判断された前記被測定者の状態に応じて、前記電子機器に記録されたスケジュールを変更する
請求項１５に記載の深部体温測定システム。
【請求項２１】
さらに、前記被測定者の移動手段の手配に関する連絡、救命措置の手配に関する連絡、及び、緊急連絡先への連絡を行う自動救命部を備え、
前記情報通信部は、前記状態判断部によって前記被測定者の状態が異常又は緊急であると判断された場合に、前記自動救命部に通知することで、前記自動救命部を動作させる
請求項１５に記載の深部体温測定システム。
【請求項２２】
被測定者の深部体温を測定する深部体温測定方法であって、
被測定者の熱画像を取得する熱画像取得ステップと、
前記熱画像取得ステップで取得された前記熱画像から深部体温推定アルゴリズムに従って前記被測定者の深部体温を推定し、推定した前記深部体温を測定結果として出力する深部体温推定ステップと、
前記被測定者の個人認証を行う個人認証ステップと、
前記個人認証ステップによる個人認証の結果に応じて前記深部体温推定アルゴリズムを変更する制御ステップとを含み、
前記深部体温推定ステップでは、前記制御ステップによって変更された前記深部体温推定アルゴリズムに従って前記深部体温を推定する
深部体温測定方法。
【発明の詳細な説明】
【技術分野】
【０００１】
本発明は、被測定者の深部体温を測定する深部体温測定装置、深部体温測定システム及び深部体温測定方法に関する。
【背景技術】
【０００２】
被測定者の熱画像を撮像し、得られた熱画像から被測定者の深部体温等の体温を推定する体温測定装置は、被測定者に対して非接触で、かつ、瞬時に体温を測定できることから、便利な測定装置である。なお、深部体温とは、体の内部の温度である。ところが、このような体温測定装置は、熱画像を用いて間接的に深部体温を推定し、被測定者の正常／異常を判断するので、測定装置における処理の精度を確保することが求められる。
【０００３】
そこで、従来、熱画像を用いる体温測定装置における測定精度を向上させる技術として、様々なものが提案されている（例えば、特許文献１参照）。
【０００４】
特許文献１では、被測定者の平熱等の個人情報を補完的に用いることで、被測定者の正常／異常の判断の精度を向上させている。
【先行技術文献】
【特許文献】
【０００５】
【特許文献１】特開２０１１−６７３７１号公報
【発明の概要】
【発明が解決しようとする課題】
【０００６】
しかしながら、特許文献１の技術では、熱画像から推定された深部体温と基準値との比較においては精度が向上されるものの、熱画像から推定される深部体温そのものの精度が向上されるわけではないので、最終的に得られる正常／異常の判断の精度向上において限界がある。
【０００７】
そこで、本発明は、熱画像を用いて従来よりも高い精度で深部体温を測定できる深部体温測定装置等を提供することを目的とする。
【課題を解決するための手段】
【０００８】
上記目的を達成するために、本発明の一形態に係る深部体温測定装置は、被測定者の深部体温を測定する深部体温測定装置であって、被測定者の熱画像を取得する熱画像取得部と、前記熱画像取得部で取得された前記熱画像から深部体温推定アルゴリズムに従って前記被測定者の深部体温を推定し、推定した前記深部体温を前記深部体温測定装置による測定結果として出力する深部体温推定部と、前記被測定者の個人認証を行う個人認証部と、前記個人認証部による個人認証の結果に応じて前記深部体温推定アルゴリズムを変更する制御部とを備え、前記深部体温推定部は、前記制御部によって変更された前記深部体温推定アルゴリズムに従って前記深部体温を推定する。
【０００９】
上記目的を達成するために、本発明の一形態に係る深部体温測定システムは、上記深部体温測定装置と、前記深部体温測定装置から出力された測定結果に基づいて前記被測定者の状態を判断する状態判断部と、前記深部体温測定装置から出力された測定結果を通信によって外部に提供する情報通信部とを備える。
【００１０】
上記目的を達成するために、本発明の一形態に係る深部体温測定方法は、被測定者の深部体温を測定する深部体温測定方法であって、被測定者の熱画像を取得する熱画像取得ステップと、前記熱画像取得ステップで取得された前記熱画像から深部体温推定アルゴリズムに従って前記被測定者の深部体温を推定し、推定した前記深部体温を測定結果として出力する深部体温推定ステップと、前記被測定者の個人認証を行う個人認証ステップと、前記個人認証ステップによる個人認証の結果に応じて前記深部体温推定アルゴリズムを変更する制御ステップとを含み、前記深部体温推定ステップでは、前記制御ステップによって変更された前記深部体温推定アルゴリズムに従って前記深部体温を推定する。
【発明の効果】
【００１１】
本発明により、熱画像を用いて従来よりも高い精度で深部体温を測定できる深部体温測定装置、深部体温測定システム、及び、深部体温測定方法が提供される。
【図面の簡単な説明】
【００１２】
【図１】実施の形態１に係る深部体温測定装置の設置例を示す図
【図２】実施の形態１に係る深部体温測定装置の構成を示すブロック図
【図３Ａ】実施の形態１に係る深部体温測定装置が保持する深部体温推定アルゴリズムの一例を示す概念図
【図３Ｂ】実施の形態１に係る深部体温測定装置が保持する深部体温推定アルゴリズムの他の一例を示す概念図
【図４】実施の形態１に係る深部体温測定装置が備えるデータベース部に保持された個人情報の一例を示す図
【図５】実施の形態１に係る深部体温測定装置の動作を示すフローチャート
【図６Ａ】実施の形態１に係る深部体温測定装置の動作例を示す図
【図６Ｂ】実施の形態１に係る深部体温測定装置の他の動作例を示す図
【図７Ａ】実施の形態１に係る深部体温測定装置による測定結果の一例を示す図
【図７Ｂ】実施の形態１に係る深部体温測定装置による測定結果の他の一例を示す図
【図８】実施の形態１に係る深部体温測定装置による測定方法と標準的な手法との比較例を示す図
【図９Ａ】図８の深部体温測定装置による測定方法の一例（ＭＥＴＨＯＤ  Ｄ１）と標準的な手法との比較例を示すグラフ
【図９Ｂ】図８の深部体温測定装置による測定方法の一例（ＭＥＴＨＯＤ  Ｄ１Ｃ１）と標準的な手法との比較例を示すグラフ
【図９Ｃ】図８の深部体温測定装置による測定方法の一例（ＭＥＴＨＯＤ  Ｄ２Ｃ１）と標準的な手法との比較例を示すグラフ
【図１０】図８の深部体温測定装置による測定方法を利用する被測定者の一例を示す図
【図１１】実施の形態１の変形例１に係る深部体温測定装置の構成を示すブロック図
【図１２Ａ】実施の形態１の変形例１に係る深部体温測定装置の動作例を示す図
【図１２Ｂ】実施の形態１の変形例１に係る深部体温測定装置の他の動作例を示す図
【図１３】実施の形態１の変形例２に係る深部体温測定装置の構成を示すブロック図
【図１４】実施の形態１の変形例３に係る深部体温測定装置の構成を示すブロック図
【図１５】実施の形態１の変形例３に係る深部体温測定装置の設置例を示す図
【図１６】実施の形態１の変形例４に係る深部体温測定装置の構成を示すブロック図
【図１７】実施の形態１の変形例５に係る深部体温測定装置の構成を示すブロック図
【図１８】実施の形態１の変形例６に係る深部体温測定装置の構成を示すブロック図
【図１９】実施の形態１の変形例７に係る深部体温測定装置の構成を示すブロック図
【図２０】実施の形態１の変形例８に係る深部体温測定装置の構成を示すブロック図
【図２１】実施の形態１の変形例９に係る深部体温測定装置の構成を示すブロック図
【図２２】実施の形態２に係る深部体温測定システムの構成を示すブロック図
【図２３Ａ】実施の形態２に係る深部体温測定システムの動作を示す図
【図２３Ｂ】実施の形態２に係る深部体温測定システムの他の動作を示す図
【図２３Ｃ】実施の形態２に係る深部体温測定システムの他の動作を示す図
【図２４】実施の形態２の変形例１に係る深部体温測定システムの構成を示すブロック図
【図２５】実施の形態２の変形例２に係る深部体温測定システムの構成を示すブロック図
【図２６】ユーザインタフェース装置を含む深部体温測定装置の構成例を示すブロック図
【図２７Ａ】図２６の深部体温測定装置が提供するユーザインタフェース例を示す図
【図２７Ｂ】図２６の深部体温測定装置が提供する他のユーザインタフェース例を示す図
【図２７Ｃ】図２６の深部体温測定装置が提供する他のユーザインタフェース例を示す図
【図２８Ａ】図１の深部体温測定装置を飛行機内に設置した例を示す図
【図２８Ｂ】図１の深部体温測定装置を自動車内に設置した例を示す図
【図２８Ｃ】図１の深部体温測定装置を室内への設置例を示す図
【図２８Ｄ】図１の深部体温測定装置を携帯情報機器に組み込んだ例を示す図
【図２８Ｅ】図１の深部体温測定装置を高齢者設備に設置した例を示す図
【図２８Ｆ】図１の深部体温測定装置を病院に設置した例を示す図
【発明を実施するための形態】
【００１３】
以下、本発明の実施の形態について、図面を用いて詳細に説明する。なお、以下で説明する実施の形態は、いずれも本発明の一具体例を示すものである。以下の実施の形態で示される数値、形状、材料、構成要素、構成要素の配置位置及び接続形態、ステップ、ステップの順序等は、一例であり、本発明を限定する主旨ではない。また、以下の実施の形態における構成要素のうち、本発明の最上位概念を示す独立請求項に記載されていない構成要素については、任意の構成要素として説明される。また、各図は、必ずしも厳密に図示したものではない。各図において、実質的に同一の構成については同一の符号を付し、重複する説明は省略又は簡略化する。
【００１４】
（実施の形態１）
まず、実施の形態１に係る深部体温測定装置１０を説明する。
【００１５】
図１は、実施の形態１に係る深部体温測定装置１０の設置例を示す図である。なお、本図において、深部体温測定装置１０は、図示の便宜上、「Ｓ」と表記されている。他の図においても同様である。
【００１６】
深部体温測定装置１０は、被接触で被測定者２の深部体温を測定する装置であり、本図に示されるように、例えば、会社における建物の入口付近（ここでは、天井）に設置される。この入口には、必要に応じて、タッチパネル付きディスプレイ等のユーザインタフェース装置４が設置され、深部体温測定装置１０による測定結果がユーザインタフェース装置４に表示される。これにより、被測定者２は、自分の深部体温を即座に確認することができる。
【００１７】
図２は、図１に示された深部体温測定装置１０の構成を示すブロック図である。深部体温測定装置１０は、熱画像取得部１１、深部体温推定部１２、個人認証部１３、制御部１４、及び、データベース（ＤＢ）部１５を備える。
【００１８】
熱画像取得部１１は、被測定者２の熱画像を取得する装置であり、例えば、１次元状又は２次元状に配置された赤外線検出素子で構成される熱画像センサ、又は、熱画像カメラである。例えば、熱画像取得部１１は、制御部１４による制御の下で、１次元状の熱画像センサで被測定者２を含む空間を機械的又は電気的に走査することによって、熱画像を取得する。なお、熱画像取得部１１は、走査型に限られず、走査しない固定型であってもよい。例えば、熱画像取得部１１は、固定された状態で、被測定空間全体に対して撮像することで熱画像を取得するための光学系と２次元状に配置された赤外線検出素子とで構成される熱画像カメラであってもよい。
【００１９】
深部体温推定部１２は、熱画像取得部１１で取得された熱画像から深部体温推定アルゴリズムに従って被測定者２の深部体温を推定し、推定した深部体温を深部体温測定装置１０による測定結果として出力する処理部である。深部体温推定部１２は、例えば、深部体温推定アルゴリズムを含むプログラムを保持するフラッシュメモリ等の不揮発性メモリ、ＤＲＡＭ等の読み書き可能な揮発性メモリ、深部体温推定アルゴリズムを含むプログラムを不揮発性メモリから揮発性メモリにロードした後にそのプログラムを実行するプロセッサ、及び、入出力ポート等を備えるマイクロコンピュータ等で構成される。なお、揮発性メモリにロードされた深部体温推定アルゴリズムは制御部１４によって変更され得るが、深部体温推定アルゴリズムが変更された場合には、深部体温推定部１２は、変更後の深部体温推定アルゴリズムに従って深部体温を推定する。
【００２０】
なお、深部体温推定アルゴリズムは、熱画像から深部体温を導出するアルゴリズムであり、特許文献１等で開示された公知なアルゴリズムに加えて、深部体温の推定に用いられる、熱画像における被測定者２の部位を特定する情報等も含まれる。図３Ａは、深部体温推定アルゴリズムの一例を示す概念図である。ここでは、深部体温推定アルゴリズムの種類（ＭＥＴＨＯＤ０１〜０９）のそれぞれごとに、深部体温の推定に用いられる顔の部位を特定する情報が対応づけられた例が示されている。図３Ｂは、深部体温推定アルゴリズムの他の一例を示す概念図である。図３Ｂに示されるように、深部体温推定アルゴリズムでは、深部体温の推定に用いられる顔の部位は、顔の正面だけに限られず（図３Ｂの（ａ））、顔の側面における部位（ここでは、耳、頬、口）も含まれる（図３Ｂの（ｂ））。
【００２１】
個人認証部１３は、被測定者２の個人認証を行う処理部であり、撮像機器１３ａ及び認証処理部１３ｂで構成される。撮像機器１３ａは、被測定者２を撮像することで可視光の画像を生成する機器であり、例えば、可視光用デジタルカメラである。認証処理部１３ｂは、撮像機器１３ａによる撮像で得られた画像を用いて、内部に保持する認証アルゴリズムに従って個人認証を行う処理部であり、例えば、個人認証として、撮像機器１３ａで得られた画像における特徴と予め保持している個人認証の各項目に対応する画像の特徴とをマッチングすることで、被測定者２の個人情報、つまり、識別情報、年齢、髪型、メガネの装着の有無、かかっている病気、性別、身長、人種、体重、生活情報のうちの少なくとも１つを特定する。なお、認証処理部１３ｂによる「特定」には、上述した個人情報を決定すること、予測すること、及び、取得することが含まれる。認証処理部１３ｂは、例えば、認証定アルゴリズムを含むプログラムを保持するフラッシュメモリ等の不揮発性メモリ、ＤＲＡＭ等の読み書き可能な揮発性メモリ、認証アルゴリズムを含むプログラムを不揮発性メモリから揮発性メモリにロードした後にプログラムを実行するプロセッサ、及び、入出力ポート等を備えるマイクロコンピュータ等で構成される。このとき、揮発性メモリにロードされた認証アルゴリズムは制御部１４によって変更され得るが、認証アルゴリズムが変更された場合には、認証処理部１３ｂは、変更後の認証アルゴリズムに従って個人認証を行う。
【００２２】
なお、個人認証部１３は、撮像機器を用いた構成に限られず、ＩＣカード等の個人のＩＤが記録されたカードリーダーであってもよい。また、個人認証部１３は、後述するデータベース部１５を参照することで個人認証をしてもよい。
【００２３】
データベース部１５は、被測定者２となり得る複数の人（例えば、ある会社の社員、及び、その会社に出入りする可能性がある人）についての個人情報を保持する記憶部であり、例えば、フラッシュメモリ等の不揮発性メモリである。なお、データベース部１５は、ローカルの記憶部だけでなく、制御部１４と通信ネットワークを介して接続されるコンピュータ装置やクラウドであってもよい。図４は、データベース部１５に保持された個人情報の一例を示す図である。個人情報は、個人を特定するＩＤ、氏名、身長、体重、正常時の深部体温、顔画像（可視光による顔画像）、顔熱画像（熱画像取得部１１で取得された顔画像）、髪型、顔の長さと横幅との比、よく着る服の型及び種類等が含まれる。
【００２４】
制御部１４は、個人認証部１３による個人認証の結果に応じて深部体温推定アルゴリズムを変更する処理部である。制御部１４は、例えば、プログラムを保持するフラッシュメモリ等の不揮発性メモリ、ＤＲＡＭ等の読み書き可能な揮発性メモリ、プログラムを不揮発性メモリから揮発性メモリにロードした後にそのプログラムを実行するプロセッサ、及び、入出力ポート等を備えるマイクロコンピュータ等で構成される。
【００２５】
より詳しくは、制御部１４は、個人認証部１３によって得られた被測定者２の特徴（顔画像、身長等）とデータベース部１５に登録された個人情報とを照合することで被測定者２を識別する。そして、制御部１４は、識別した被測定者２について、データベース部１５を参照することで、被測定者２の詳細な個人情報を取得し、取得した個人情報に基づいて、その被測定者２に最適な深部体温推定アルゴリズムに変更するように深部体温推定部１２に指示する。深部体温推定アルゴリズムの変更例として、制御部１４は、深部体温の推定に好適な、熱画像における被測定者２の部位を特定し、特定した部位を示す情報を深部体温推定部１２に通知することで、深部体温の推定に用いる部位を変更する。また、制御部１４は、個人認証部１３による個人認証の結果に応じて熱画像取得部１１による走査の方法を変更する。
【００２６】
なお、深部体温測定装置１０を構成する深部体温推定部１２、認証処理部１３ｂ、及び、制御部１４は、それらの一部又は全てについて、共通のプロセッサで実現してもよい。その場合には、プログラムが保持される不揮発性メモリ、及び、揮発性メモリ等も共有されてもよい。
【００２７】
次に、以上のように構成された本実施の形態に係る深部体温測定装置１０の動作について説明する。
【００２８】
図５は、本実施の形態に係る深部体温測定装置１０の動作（つまり、深部体温測定方法）を示すフローチャートである。
【００２９】
まず、個人認証部１３は、被測定者２の個人認証を行う（個人認証ステップＳ１０）。具体的には、撮像機器１３ａは、被測定者２を撮像する。そして、認証処理部１３ｂが、撮像機器１３ａによる撮像で得られた画像を用いて、内部に保持する認証アルゴリズムに従って、個人認証として、撮像機器１３ａで得られた画像から被測定者２の識別情報、年齢、髪型、メガネの装着の有無、かかっている病気、性別、身長、人種、体重、生活情報のうちの少なくとも１つを特定する。なお、この個人認証ステップＳ１０では、制御部１４が、個人認証部１３による個人認証の結果とデータベース部１５の個人情報とを照合することで個人認証を行ってもよい。
【００３０】
次に、制御部１４は、熱画像取得部１１に動作指示を与えることで、熱画像取得部１１に対して、被測定者２の熱画像を取得させる（熱画像取得ステップＳ１１）。例えば、熱画像取得部１１は、１次元状の熱画像センサで被測定者２を含む空間を走査しながら撮像することで熱画像を取得したり、２次元状の熱画像センサで被測定者２を含む空間を走査することなく撮像することで熱画像を取得したりする。このときに、熱画像取得部１１は、撮像の前に、フォーカス調整をしてもよい。
【００３１】
次に、制御部１４は、個人認証部１３による個人認証（個人認証ステップＳ１０）の結果に応じて深部体温推定部１２に指示することで、深部体温推定部１２が保持する深部体温推定アルゴリズムを変更させる（制御ステップＳ１２）。例えば、制御部１４は、個人認証部１３による個人認証の結果とデータベース部１５の個人情報とを照合することで、被測定者２を識別し、その被測定者２の個人情報から被測定者２の髪型が短髪であると判明した場合には、深部体温推定部１２に対して、深部体温の推定に用いる熱画像における被測定者２の部位として額を指定する。
【００３２】
最後に、深部体温推定部１２は、制御部１４によって変更された深部体温推定アルゴリズムに従って、熱画像取得部１１で取得された熱画像から深部体温を推定する（深部体温推定ステップＳ１３）。例えば、制御部１４から、深部体温の推定に用いる熱画像における被測定者２の部位として額が指定された場合には、深部体温推定部１２は、熱画像取得部１１で取得された熱画像のうち、被測定者２の額における熱画像を用いて、深部体温を推定する。
【００３３】
なお、個人認証ステップＳ１０と、熱画像取得ステップＳ１１とは、この順に限られず、先後が入れ替わってもよいし、並行して行われてもよい。
【００３４】
図６Ａ及び図６Ｂは、本実施の形態に係る深部体温測定装置１０の動作例を示す図である。図６Ａでは、複数の被測定者２ａ及び２ｂが順次、深部体温測定装置１０による深部体温の測定を受ける様子が図示されている。図６Ｂでは、個人認証の結果に応じて深部体温推定アルゴリズムが変更される例が示されている。
【００３５】
図６Ａに示されるように、被測定者２ａについては、個人認証部１３による個人認証、又は、個人認証部１３及び制御部１４による個人認証によって、髪型が短髪であり、かつ、メガネを装着していないと認証される。その結果、制御部１４は、髪型が短髪であり、かつ、メガネを装着していない人に最適な深部体温推定アルゴリズムとして、髪の直下における額、両目、両頬、口及び首における熱画像を用いて深部体温を推定する方法（例えば、「ＭＥＴＨＯＤ：Ａ」）を深部体温推定部１２に指示をする。その結果、深部体温推定部１２は、制御部１４からの指示された深部体温推定アルゴリズム（例えば、「ＭＥＴＨＯＤ：Ａ」）に従って、熱画像取得部１１で取得された熱画像から深部体温を推定する。
【００３６】
一方、被測定者２ｂについては、個人認証部１３による個人認証、又は、個人認証部１３及び制御部１４による個人認証によって、髪型が剃髪であり、メガネを装着しておらず、かつ、口にマスクをしていると認証される。その結果、制御部１４は、髪型が剃髪であり、メガネを装着しておらず、かつ、口にマスクをしている人に最適な深部体温推定アルゴリズムとして、額、両目及び首における熱画像を用いて深部体温を推定する方法（例えば、「ＭＥＴＨＯＤ：Ｂ」）を深部体温推定部１２に指示をする。その結果、深部体温推定部１２は、制御部１４からの指示された深部体温推定アルゴリズム（例えば、「ＭＥＴＨＯＤ：Ｂ」）に従って、熱画像取得部１１で取得された熱画像から深部体温を推定する。
【００３７】
その他、図６Ｂに示される被測定者「ＩＤ００３」のように、個人認証部１３による個人認証、又は、個人認証部１３及び制御部１４による個人認証によって、髪型が短髪であり、かつ、サングラスを装着していると認証された場合には、最適な深部体温推定アルゴリズムとして、額、両頬、口及び首における熱画像を用いて深部体温を推定する方法（例えば、「ＭＥＴＨＯＤ：Ｋ」）を採用するように、制御部１４から深部体温推定部１２に指示される。
【００３８】
また、図６Ｂに示される被測定者「ＩＤ００４」のように、個人認証部１３による個人認証、又は、個人認証部１３及び制御部１４による個人認証によって、髪型が長髪であり、サングラスを装着しており、かつ、タートルネックの服を着ていると認証された場合には、最適な深部体温推定アルゴリズムとして、両頬及び口における熱画像を用いて深部体温を推定する方法（例えば、「ＭＥＴＨＯＤ：Ｇ」）を採用するように、制御部１４から深部体温推定部１２に指示される。
【００３９】
このように、個人認証部１３によって得られる被測定者２ａの個人認証の結果に応じた深部体温推定アルゴリズムによって熱画像から深部体温が推定され、正確な深部体温の推定が可能になる。
【００４０】
図７Ａは、本実施の形態に係る深部体温測定装置１０による測定結果の一例を示す図である。
【００４１】
本図に示されるように、深部体温測定装置１０により、被測定者が検知されるごとに、測定結果として、検知された「日」、「時刻」、「ＩＤ」、「深部体温推定アルゴリズム」、「測定部位」、「環境データ」、「深部体温」、「測定精度」、「備考」が生成される。生成された測定結果は、深部体温測定装置１０から出力されてユーザインタフェース装置４に表示されたり、データベース部１５に保存されたりする。
【００４２】
なお、測定結果において、「日」及び「時刻」は、この測定が行われた日及び時刻である。「ＩＤ」は、個人認証の結果として得られた個人を特定するＩＤである。「深部体温推定アルゴリズム」は、深部体温の推定に用いられた深部体温推定アルゴリズムの種類を示す情報である。「測定部位」は、深部体温の推定に用いられた熱画像における部位である。「環境データ」は、深部体温測定装置１０と接続された温度計、湿度計、照度計及び風速計等の環境測定器から得られた室温、湿度、明るさ及び風速等の環境データである。「深部体温」は、深部体温測定装置１０によって推定された深部体温である。「測定精度」は、推定された深部体温の精度であり、深部体温推定部１２によって算出される値である。「備考」は、機械学習によってより高い精度で深部体温を推定できたことを示すメッセージ等である。機械学習については、変形例３を用いて、後述する。「データセキュリティ＆共有管理」は、測定結果に関する情報共有先を示す。情報共有先については、実施の形態２において後述する。
【００４３】
図７Ａに示された測定結果では、一例として、次のような状況が示されている。つまり、ＩＤ０００４の被測定者は、普段、マフラー及びメガネをしているため、好適な深部体温測定アルゴリズムとして、通常、「ＭＥＴＨＯＤ  Ｇ」が選択される（日が「２０１６年１２月５日」で、ＩＤが「ＩＤ００４」の行を参照）。ところが、２０１７年３月１日には、その被測定者はマフラー及びメガネをしていなかったために、そのことが認識され、より精度の高いアルゴリズム（「ＭＥＴＨＯＤ  Ａ」）が選択されている。
【００４４】
図７Ｂは、本実施の形態に係る深部体温測定装置１０による測定結果の他の一例を示す図である。ここでは、同じ被測定者（この例では、「ＩＤ０００１」）についての測定結果の履歴が示されている。
【００４５】
本図に示されるように、深部体温測定装置１０により、被測定者が検知されるごとに、測定結果として、検知された「日」、「時刻」、「良好に検出される測定部位」、「日々に使用可能な測定方法」、「統計的に好適な測定方法」、「測定で優先する項目」、「選択された測定方法」が生成される。生成された測定結果は、深部体温測定装置１０から出力されてユーザインタフェース装置４に表示されたり、データベース部１５に保存されたりする。
【００４６】
なお、測定結果において、「日」及び「時刻」は、この測定が行われた日及び時刻である。「良好に検出される測定部位」は、当該測定において良好に検出された測定部位である。「日々に使用可能な測定方法」は、「良好に検出される測定部位」を用いて深部体温を測定できる深部体温推定アルゴリズムの一覧である。「統計的に好適な測定方法」は、測定結果の履歴から統計的に好適と判断された深部体温推定アルゴリズムであり、例えば、「日々に使用可能な測定方法」に最も高い頻度で出てきた深部体温推定アルゴリズム、あるいは、過去の測定において最も高い頻度で採用された深部体温推定アルゴリズムである。「測定で優先する項目」は、予め被測定者によって指定された項目であり、高い「測定精度」を優先する、あるいは、短い「測定時間」を有する等の項目を示す。「選択された測定方法」は、当該測定において採用された深部体温推定アルゴリズムである。
【００４７】
図７Ｂに示された測定結果では、一例として、次のような状況が示されている。つまり、ＩＤ０００１の被測定者について、２０１７年３月３日８：２０における測定では（図７Ｂの一行目のデータ参照）、使用可能な測定方法が「Ａ０１」、「Ａ０２」、「Ａ０３」、「Ａ０４」であり、統計的に好適な測定方法が「Ａ０２」であり、優先項目が「測定精度」であることに基づいて、深部体温測定装置１０により、測定方法「Ａ０１」が選択されたことが分かる。
【００４８】
図８は、実施の形態１に係る深部体温測定装置１０による測定方法と標準的な手法との比較例を示す図である。図８には、利用可能な深部体温測定方法と、その深部体温測定に必要な部位、その深部体温測定方法で実験したときの測定結果と標準的な手法の出力との相関、実験の測定精度が示される。標準的な手法とは、例えば、口の温度、耳の温度、直腸の温度、脇の温度のいずれかを接触して測定する手法である。図９Ａ〜図９Ｃは、図８の深部体温測定装置による測定方法の一例（それぞれ、「ＭＥＴＨＯＤ  Ｄ１」、「ＭＥＴＨＯＤ  Ｄ１Ｃ１」「ＭＥＴＨＯＤ  Ｄ２Ｃ１」）と標準的な手法との比較例を示すグラフである。図１０は、図８の深部体温測定装置による測定方法を利用する被測定者の一例を示す図である。
【００４９】
図８〜図１０を例として、図７Ａに示したような深部体温測定アルゴリズムの選択方法を、説明する。
【００５０】
図１０の被測定者２は、図７Ａに示されるマフラー及びメガネをしたＩＤ０００４の被測定者である。この被測定者２に適用される深部体温測定アルゴリズムは、図８、図９Ａ〜図９Ｃに示される標準的な手法による測定結果との比較によって決定される。被測定者２は、マフラー及びメガネをしているため、よく検出される顔の部位は額、ほお、口である。図７Ａのように、精度の高いアルゴリズムを選択する場合、図８の比較結果から、標準的な手法の出力との相関が最も高く、実験の測定精度も一番良い「ＭＥＴＨＯＤ  Ｄ２Ｃ１」が選択される。
【００５１】
額、ほお、口を検出できた場合の深部体温測定アルゴリズムの選択方法を説明したが、被測定者２を測定したときに、角度が悪いなどの理由で被測定者２の口をうまく検出できない場合には、最も精度の良い「ＭＥＴＨＯＤ  Ｄ２Ｃ１」を選択することができない。この場合、選択できる深部体温測定アルゴリズムは「ＭＥＴＨＯＤ  Ｄ１」と「ＭＥＴＨＯＤ  Ｄ１Ｃ１」であるが、図８から、「ＭＥＴＨＯＤ  Ｄ１」と「ＭＥＴＨＯＤ  Ｄ１Ｃ１」の測定精度に大きな差は無い。このとき、図７Ｂに示した「測定で優先する項目」がある場合や被測定者から優先する項目の指示がある場合には、優先する項目に従って深部体温測定アルゴリズムが選択される。
【００５２】
例えば、優先する項目が測定精度である場合、図８に示されるように、「ＭＥＴＨＯＤ  Ｄ１」と「ＭＥＴＨＯＤ  Ｄ１Ｃ１」の実験の測定精度に差が無いため、標準的な手法の出力との相関で選択する。図８に示されるように、標準的な手法の出力との相関が高い「ＭＥＴＨＯＤ  Ｄ１Ｃ１」が選択される。
【００５３】
あるいは、被測定者２から計算時間を短縮するように指示があった場合には、図８に示されるように、「ＭＥＴＨＯＤ  Ｄ１」と「ＭＥＴＨＯＤ  Ｄ１Ｃ１」の標準的な手法の出力との相関、実験の測定精度のどちらにも大きな差が無いため、測定項目が少なく、計算時間が短くなる「ＭＥＴＨＯＤ  Ｄ１」を選択することもできる。
【００５４】
以上のように、本実施の形態に係る深部体温測定装置１０は、被測定者２の深部体温を測定する深部体温測定装置１０であって、被測定者２の熱画像を取得する熱画像取得部１１と、熱画像取得部１１で取得された熱画像から深部体温推定アルゴリズムに従って被測定者２の深部体温を推定し、推定した深部体温を深部体温測定装置１０による測定結果として出力する深部体温推定部１２と、被測定者２の個人認証を行う個人認証部１３と、個人認証部１３による個人認証の結果に応じて深部体温推定アルゴリズムを変更する制御部１４とを備え、深部体温推定部１２は、制御部１４によって変更された深部体温推定アルゴリズムに従って深部体温を推定する。
【００５５】
これにより、個人認証の結果に応じて、熱画像から深部体温を推定する際に用いられる深部体温推定アルゴリズムが変更される。よって、熱画像から推定される深部体温そのものの精度が向上され、従来よりも高い精度で深部体温を測定できる深部体温測定装置１０が実現される。
【００５６】
また、熱画像取得部１１は、被測定者２を含む空間を走査することによって、熱画像を取得し、制御部１４は、さらに、個人認証部１３による個人認証の結果に応じて熱画像取得部１１による走査の方法を変更する。
【００５７】
これにより、個人認証の結果に応じて、熱画像取得部１１による走査の方法が変更されるので、例えば、身長、髪型等の個人認証の結果に応じて適切な熱画像を取得できる顔の部分が確実に走査されて熱画像が得られ、高い精度で深部体温が推定される。
【００５８】
また、深部体温推定アルゴリズムには、深部体温の推定に用いられる熱画像における被測定者２の部位を特定する情報が含まれる。
【００５９】
これにより、個人認証の結果に応じて、深部体温の推定に好適な被測定者２の部位が特定されるので、被測定者２ごとに深部体温が表れ易い部位、例えば、額、目、頬等の熱画像が用いられ、より高い精度で深部体温が推定される。
【００６０】
また、個人認証部１３は、被測定者２を撮像する撮像機器１３ａを有し、個人認証として、撮像機器１３ａで得られた画像から被測定者２の識別情報、年齢、髪型、メガネの装着の有無、かかっている病気、性別、身長、人種、体重、生活情報のうちの少なくとも１つを特定する。
【００６１】
これにより個人認証として、様々なパラメータが推定され得るので、個人ごとに深部体温の推定に役立つパラメータを任意に定義しておくことができ、個人認証の結果を的確に反映した、精度の高い深部体温の推定が実現される。
【００６２】
（変形例１）
次に、実施の形態１の変形例１に係る深部体温測定装置について説明する。
【００６３】
図１１は、実施の形態１の変形例１に係る深部体温測定装置１０ａの構成を示すブロック図である。深部体温測定装置１０ａは、実施の形態１の深部体温測定装置１０に対して、制御部１４を新たな制御部１４ａに置き換え、かつ、測定支援部２０を追加した構成を備える。以下、実施の形態１と異なる点を中心に説明する。
【００６４】
測定支援部２０は、熱画像取得部１１による熱画像の取得を支援する装置であり、具体的には、制御部１４ａによる制御の下で、被測定者２に向けて送風する、又は、熱画像取得部１１が熱画像を取得し易くなるように音声によって被測定者２に移動を促す出力部を有する。具体的には、出力部は、送風機、又は、音声出力装置等である。なお、「熱画像取得部１１が熱画像を取得し易くなるように音声によって被測定者２に移動を促す」具体例としては、現在の設置状態における熱画像取得部１１の撮像領域内への移動を促すメッセージを音声で出力することが挙げられる。
【００６５】
制御部１４ａは、実施の形態１の制御部１４の機能に加えて、個人認証部１３による個人認証の結果に応じて測定支援部２０に対して動作指示を与える機能を有する。
【００６６】
図１２Ａ及び図１２Ｂは、本変形例に係る深部体温測定装置１０ａの動作例を示す図である。ここでは、測定支援部２０が出力部として送風機を有している場合の動作例が示されている。図１２Ａでは、被測定者２ｃが深部体温測定装置１０による深部体温の測定を受ける際に測定支援部２０からの送風を受ける様子が図示されている。図１２Ｂでは、被測定者２ｃが送風を受ける前（図１２Ｂの（ａ））と後（図１２Ｂの（ｂ））で被測定者２ｃの髪型が変更される様子が示されている。
【００６７】
図１２Ａ及び図１２Ｂに示されるように、制御部１４ａは、個人認証部１３による個人認証によって被測定者２ｃの髪型が長髪であることが判明した場合に、測定支援部２０に対して動作指示を与えることで、被測定者２ｃの髪に向けて一定時間（例えば、１秒間）、風を送る。そして、制御部１４ａは、その間に熱画像を取得して深部体温を推定するように熱画像取得部１１及び深部体温推定部１２に動作指示を与える。その結果、深部体温推定部１２は、測定支援部２０からの送風によって髪が上方に上げられて耳が露出した瞬間における被測定者２ｃの横顔を撮像し、耳が鮮明に撮像された熱画像を用いて深部体温を推定する。
【００６８】
このように、本変形例に係る深部体温測定装置１０ａは、熱画像取得部１１による熱画像の取得を支援する測定支援部２０を備える。
【００６９】
これにより、熱画像の取得が容易となり、より高い精度での深部体温の測定が可能になる。
【００７０】
より具体的には、測定支援部２０は、被測定者２に向けて送風する、又は、熱画像取得部１１が熱画像を取得し易くなるように音声によって被測定者２に移動を促す出力部を有し、制御部１４ａは、個人認証部１３による個人認証の結果に応じて測定支援部２０に対して動作指示を与える。
【００７１】
これにより、個人認証の結果に応じて、被測定者２に向けて送風される、又は、熱画像取得部１１が熱画像を取得し易くなるように音声によって被測定者に移動が促されるので、より高い精度での深部体温の測定が可能になる。
【００７２】
（変形例２）
次に、実施の形態１の変形例２に係る深部体温測定装置について説明する。
【００７３】
図１３は、実施の形態１の変形例２に係る深部体温測定装置１０ｂの構成を示すブロック図である。深部体温測定装置１０ｂは、実施の形態１の深部体温測定装置１０に対して、制御部１４を新たな制御部１４ｂに置き換え、かつ、測定支援部２０ａを追加した構成を備える。以下、実施の形態１と異なる点を中心に説明する。
【００７４】
測定支援部２０ａは、熱画像取得部１１による熱画像の取得、及び、撮像機器１３ａによる可視光の画像の取得を支援する装置であり、そのために、制御部１４ｂによる制御の下で、熱画像取得部１１及び撮像機器１３ａによる撮像の態様を変更する機構を有する。熱画像取得部１１及び撮像機器１３ａによる撮像の態様を変更する機構としては、熱画像取得部１１及び撮像機器１３ａの測定軸（つまり、撮像の対象となる領域）を変更するパン・チルト・ローテーション駆動システム、あるいは、センサーポジション（つまり、熱画像取得部１１及び撮像機器１３ａの設置位置）を変更するステージ等である。
【００７５】
制御部１４ｂは、実施の形態１の制御部１４の機能に加えて、個人認証部１３による個人認証の結果に応じて測定支援部２０ａに対して動作指示を与えることで熱画像取得部１１及び撮像機器１３ａによる撮像の態様を変更させる動作指示を与える機能を有する。例えば、制御部１４ｂは、個人認証部１３による簡易な個人認証の結果、身長が１９０ｃｍの被測定者であることが判明した場合には、身長が１９０ｃｍの被測定者の顔を適切に撮像するように熱画像取得部１１及び撮像機器１３ａに撮像の態様を変更させる動作指示を与える。これにより、身長が１９０ｃｍの被測定者に合った、より正確な個人認証及び熱画像の取得が可能になる。
【００７６】
このように、本変形例に係る深部体温測定装置１０ｂは、熱画像取得部１１及び撮像機器１３ａによる撮像の態様を変更する機構を有する測定支援部２０ａを備え、制御部１４ｂは、個人認証部１３による個人認証の結果に応じて測定支援部２０ａに対して動作指示を与えることで熱画像取得部１１及び撮像機器１３ａによる撮像の態様を変更させる。
【００７７】
これにより、個人認証の結果に応じて、熱画像取得部１１及び撮像機器１３ａによる撮像の態様が変更されるので、例えば、身長、髪型等の個人認証の結果に応じて適切に被測定者２の顔が撮影されるように熱画像取得部１１及び撮像機器１３ａが駆動されるので、高い精度で個人認証及び深部体温の推定が行われる。
【００７８】
（変形例３）
次に、実施の形態１の変形例３に係る深部体温測定装置について説明する。
【００７９】
図１４は、実施の形態１の変形例３に係る深部体温測定装置１０ｃの構成を示すブロック図である。深部体温測定装置１０ｃは、実施の形態１の深部体温測定装置１０に対して、制御部１４を新たな制御部１４ｃに置き換え、かつ、高精度深部体温測定部２２を追加した構成を備える。以下、実施の形態１と異なる点を中心に説明する。
【００８０】
高精度深部体温測定部２２は、深部体温測定装置１０ｃによる深部体温の測定よりも高精度で深部体温を測定する装置であり、例えば、接触式の深部体温計又は耳式体温計であり、タッチされた掌の温度又は挿入された耳の温度から深部体温を推定する。高精度深部体温測定部２２によって推定された高精度な深部体温は、高精度深部体温として、データベース部１５における個人情報の一つとして保存される。
【００８１】
制御部１４ｃは、実施の形態１の制御部１４の機能に加えて、高精度深部体温測定部２２による測定で得られた深部体温（ここでは、データベース部１５に格納された高精度深部体温）を用いて、深部体温推定部１２に保持された深部体温推定アルゴリズムを変更する機能を有する。
【００８２】
図１５は、本変形例に係る深部体温測定装置１０ｃの設置例を示す図である。ここでは、高精度深部体温測定部２２が床に設置され、高精度深部体温測定部２２を除く深部体温測定装置１０ｃが天井に設置された例が示されている。
【００８３】
床に設置された高精度深部体温測定部２２は、接触式の深部体温計であり、被測定者２ｄからタッチされた掌の温度から高精度深部体温を生成する。なお、高精度深部体温測定部２２が耳式体温計である場合には、高精度深部体温測定部２２が被測定者の耳に挿入されることで、高精度深部体温が生成され、生成された高精度深部体温は、ユーザインタフェース装置４を介した被測定者による手入力、又は、有線又は無線による通信によって、制御部１４ｃに入力される。
【００８４】
制御部１４ｃは、高精度深部体温測定部２２で生成された高精度深部体温を教師データとして、深部体温推定部１２に機械学習をさせる。つまり、深部体温推定部１２は、被測定者２ｄの熱画像から推定した深部体温が、制御部１４ｃから指示された高精度深部体温に略一致することになるように、深部体温推定アルゴリズムを変更する。これにより、深部体温推定部１２に保持された深部体温推定アルゴリズムの精度が向上される。
【００８５】
なお、高精度深部体温測定部２２による深部体温の測定は、深部体温測定装置１０ｃに比べて高精度であるが、より長い測定時間を要する。よって、高精度深部体温測定部２２による深部体温の測定は、頻繁に実施されるのではなく、一定期間を置いて、実施されるのが好ましい。そのために、例えば、ユーザインタフェース装置４は、定期的に（例えば、毎月１回）、ユーザインタフェース装置４の前を通過するユーザに対して、高精度深部体温測定部２２による深部体温の測定を促す音声を発する。
【００８６】
このように、本変形例に係る深部体温測定装置１０ｃは、深部体温測定装置１０ｃによる深部体温の測定よりも高精度に深部体温を測定する高精度深部体温測定部２２を備える。そして、制御部１４ｃは、高精度深部体温測定部２２による測定で得られた深部体温を用いて深部体温推定アルゴリズムを変更する。
【００８７】
これにより、高精度深部体温測定部２２による測定で得られた深部体温を用いて深部体温推定アルゴリズムが更新されるので、熱画像から、より精度の高い深部体温を推定できるように、深部体温推定アルゴリズムが変更される。
【００８８】
（変形例４）
次に、実施の形態１の変形例４に係る深部体温測定装置について説明する。
【００８９】
図１６は、実施の形態１の変形例４に係る深部体温測定装置１０ｄの構成を示すブロック図である。深部体温測定装置１０ｄは、実施の形態１の深部体温測定装置１０に対して、制御部１４を新たな制御部１４ｄに置き換え、かつ、深部体温推定部１２が推定した深部体温がデータベース部１５に格納される構成を備える。以下、実施の形態１と異なる点を中心に説明する。
【００９０】
本変形例では、深部体温推定部１２は、推定した深部体温を測定結果としてデータベース部１５に格納する。具体的には、深部体温推定部１２は、推定した被測定者の深部体温を、制御部１４ｄから通知された被測定者のＩＤを参照することで、データベース部１５におけるその被測定者の個人情報として、追加して格納する。
【００９１】
制御部１４ｄは、実施の形態１の制御部１４の機能に加えて、データベース部１５に蓄積された測定結果を参照することで深部体温推定アルゴリズムを変更する機能を有する。具体的には、制御部１４ｄは、被測定者ごとに、データベース部１５に蓄積された複数回の測定結果を学習データとして用いることで、深部体温推定部１２で用いられる深部体温推定アルゴリズムを変更する。例えば、制御部１４ｄは、ある被測定者について、データベース部１５に蓄積された複数回の測定結果の中央値が、その被測定者の個人情報のうち「正常時の深部体温」に近くなるように、深部体温の推定に用いる被測定者の部位を探索して変更することで、深部体温推定アルゴリズムを変更する。
【００９２】
このように、本変形例に係る深部体温測定装置１０ｄは、深部体温推定部１２から出力された測定結果を蓄積するデータベース部１５を備え、制御部１４ｄは、データベース部１５に蓄積された測定結果を参照することで、深部体温推定アルゴリズムを変更する。
【００９３】
これにより、深部体温推定部１２から出力された測定結果がフィードバックされて深部体温推定アルゴリズムの学習に用いられるので、より高い精度で深部体温を推定できるように深部体温推定アルゴリズムが変更され得る。
【００９４】
（変形例５）
次に、実施の形態１の変形例５に係る深部体温測定装置について説明する。
【００９５】
図１７は、実施の形態１の変形例５に係る深部体温測定装置１０ｅの構成を示すブロック図である。深部体温測定装置１０ｅは、実施の形態１の深部体温測定装置１０に対して、制御部１４を新たな制御部１４ｅに置き換え、かつ、入力部２４及び補助データベース（補助ＤＢ）部２５を追加した構成を備える。以下、実施の形態１と異なる点を中心に説明する。
【００９６】
入力部２４は、被測定者に関する情報を入力するための装置であり、例えば、キーボード、スマートフォン等の携帯情報機器等である。本実施の形態では、入力部２４から入力された情報は、データベース部１５に格納される。例えば、ある季節になったときに、被測定者が、入力部２４を介して、自分の個人情報についての新しい情報として、「髪型」と、「よく着る服の型及び情報」とを入力した場合には、データベース部１５におけるその被測定者の個人情報の「髪型」と「よく着る服の型及び情報」とが、入力された新しい情報に更新される。
【００９７】
補助データベース部２５は、被測定者に関する補助的な情報を保持する装置であり、例えば、社員情報を保持するデータサーバ、個人情報を保持するＷｅｂサーバ等である。本実施の形態では、補助データベース部２５は、データベース部１５に補完的な情報を送って書き込むことで、データベース部１５に保持された個人情報を補完する。
【００９８】
制御部１４ｅは、実施の形態１の制御部１４の機能に加えて、入力部２４によって入力された情報、及び／又は、補助データベース部２５に保持された被測定者に関する補助的な情報を用いて深部体温推定アルゴリズムを変更する機能を有する。具体的には、制御部１４ｅは、入力部２４からデータベース部１５に入力された情報、及び／又は、補助データベース部２５からデータベース部１５に入力された情報を参照データ又は学習用データとして用いて深部体温推定アルゴリズムを変更する。例えば、入力部２４又は補助データベース部２５によってデータベース部１５におけるある被測定者の個人情報として「髪型」が新たに保存されたとする。この場合には、制御部１４ｅは、熱画像において、新たに保存された「髪型」に対応した被測定者の部位を用いて深部体温を推定するように、深部体温推定部１２で用いられる深部体温推定アルゴリズムを変更する。
【００９９】
このように、本変形例に係る深部体温測定装置１０ｅは、被測定者に関する情報を入力するための入力部２４、及び／又は、被測定者に関する補助的な情報を保持する補助データベース部２５を備え、制御部１４ｅは、入力部２４によって入力された情報、及び／又は、補助データベース部２５に保持された被測定者に関する補助的な情報を用いて深部体温推定アルゴリズムを変更する。
【０１００】
これにより、入力部２４によって入力された情報、及び／又は、補助データベース部２５に保持された被測定者に関する補助的な情報を参照データ又は学習用データとして用いて深部体温推定アルゴリズムが変更される。よって、個人認証部１３による個人認証の結果だけに応じて深部体温が推定される場合に比べ、より高い精度で深部体温が推定される。
【０１０１】
（変形例６）
次に、実施の形態１の変形例６に係る深部体温測定装置について説明する。
【０１０２】
図１８は、実施の形態１の変形例６に係る深部体温測定装置１０ｆの構成を示すブロック図である。深部体温測定装置１０ｆは、実施の形態１の深部体温測定装置１０に対して、認証処理部１３ｂ、制御部１４及びデータベース部１５に代えて、認証処理部１３ｃを備える。以下、実施の形態１と異なる点を中心に説明する。
【０１０３】
認証処理部１３ｃは、実施の形態１の認証処理部１３ｂ及び制御部１４の機能を併せ持つ処理部であり、撮像機器１３ａによる撮像で得られた画像を用いて、内部に保持する認証アルゴリズムに従って個人認証を行い、個人認証の結果に応じて深部体温推定部１２が保持する深部体温推定アルゴリズムを変更する。認証処理部１３ｃは、例えば、個人認証として、撮像機器１３ａで得られた画像における特徴と予め保持している個人認証の各項目に対応する画像の特徴とをマッチングすることで、被測定者２の年齢、性別、人種のうちの少なくとも１つを特定する。また、認証処理部１３ｃは、例えば、深部体温推定アルゴリズムの変更として、個人認証によって被測定者２の髪型が短髪であると判明した場合には、深部体温推定部１２に対して、深部体温の推定に用いる熱画像における被測定者２の部位として額を指定する。
【０１０４】
認証処理部１３ｃは、例えば、認証定アルゴリズムを含むプログラムを保持するフラッシュメモリ等の不揮発性メモリ、ＤＲＡＭ等の読み書き可能な揮発性メモリ、認証アルゴリズムを含むプログラムを不揮発性メモリから揮発性メモリにロードした後にプログラムを実行するプロセッサ、及び、入出力ポート等を備えるマイクロコンピュータ等で構成される。なお、認証処理部１３ｃは、実施の形態１におけるデータベース部１５が保持する個人情報を保持し、その個人情報を参照することで個人認証を行ってもよい。
【０１０５】
このように、本変形例に係る深部体温測定装置１０ｆでも、実施の形態１と同様に、個人認証の結果に応じて、熱画像から深部体温を推定する際に用いられる深部体温推定アルゴリズムが変更される。よって、熱画像から推定される深部体温そのものの精度が向上され、従来よりも高い精度で深部体温を測定できる深部体温測定装置１０ｆが実現される。
【０１０６】
さらに、本変形例に係る深部体温測定装置１０ｆによれば、撮像機器１３ａ及び認証処理部１３ｃによってコンパクトな個人認証部が構成され、実施の形態１のような制御部１４及びデータベース部１５が不要となる。
【０１０７】
（変形例７）
次に、実施の形態１の変形例７に係る深部体温測定装置について説明する。
【０１０８】
図１９は、実施の形態１の変形例７に係る深部体温測定装置１０ｇの構成を示すブロック図である。深部体温測定装置１０ｇは、実施の形態１の深部体温測定装置１０に対して、制御部１４を新たな制御部１４ｇに置き換え、かつ、深部体温推定部１２が推定した深部体温をデータベース部１５に格納する構成を備える。以下、実施の形態１と異なる点を中心に説明する。
【０１０９】
本変形例では、深部体温推定部１２は、推定した深部体温を測定結果としてデータベース部１５に格納する。具体的には、深部体温推定部１２は、推定した被測定者の深部体温を、制御部１４ｇから通知された被測定者のＩＤを参照することで、データベース部１５におけるその被測定者の個人情報として、追加して格納する。
【０１１０】
制御部１４ｇは、実施の形態１の制御部１４の機能に加えて、データベース部１５に蓄積された測定結果を参照することで認証アルゴリズムを変更する機能を有する。具体的には、制御部１４ｇは、被測定者ごとに、データベース部１５に蓄積された複数回の測定結果を学習データとして用いることで、個人認証部１３で用いられる認証アルゴリズムを変更する。例えば、制御部１４ｇは、ある被測定者について、データベース部１５に蓄積された複数回の測定結果の中央値が、その被測定者の個人情報のうち「正常時の深部体温」に近くなるように、撮像機器１３ａで得られた画像から認証処理部１３ｂが抽出する特徴の種類を特定するパラメータを変更することで、認証アルゴリズムを変更する。
【０１１１】
このように、本変形例に係る深部体温測定装置１０ｇでは、制御部１４ｇは、データベース部１５に蓄積された深部体温を参照することで、認証アルゴリズムを変更する。
【０１１２】
これにより、データベース部１５に蓄積された深部体温を参照することで認証アルゴリズムが変更されるので、深部体温の評価等とともに深部体温をフィードバックさせて認証アルゴリズムを学習させることで、より高い精度で個人認証できるように認証アルゴリズムが変更される。
【０１１３】
なお、本変形例において、深部体温推定部１２が推定した深部体温に加えて、撮像機器１３ａで得られた可視光の顔画像がデータベース部１５に格納されてもよい。この場合には、可視光の顔画像は、データベース部１５の対応する個人情報に格納される。そして、制御部１４ｇは、データベース部１５に蓄積された可視光の顔画像を参照することで、認証アルゴリズムを変更する。例えば、制御部１４ｇは、認証処理部１３ｂから出力される顔画像の特徴を用いて再現した顔画像が、データベース部１５に格納されている顔画像に近くなるように、撮像機器１３ａで得られた顔画像から認証処理部１３ｂが特徴を抽出するのに用いるパラメータを変更することで、認証アルゴリズムを変更する。これにより、深部体温だけでなく顔画像も用いたうえで認証アルゴリズムが変更されるので、認証アルゴリズムがより高度に学習され得る。
【０１１４】
（変形例８）
次に、実施の形態１の変形例８に係る深部体温測定装置について説明する。
【０１１５】
図２０は、実施の形態１の変形例８に係る深部体温測定装置１０ｈの構成を示すブロック図である。深部体温測定装置１０ｈは、実施の形態１の深部体温測定装置１０に対して、制御部１４を新たな制御部１４ｈに置き換え、かつ、環境測定部２６及び測定支援部２０ａを追加した構成を備える。以下、実施の形態１と異なる点を中心に説明する。
【０１１６】
環境測定部２６は、環境を測定する装置であり、例えば、温度計、湿度計、照度計及び風速計の少なくとも一つである。
【０１１７】
測定支援部２０ａは、上記変形例２のものと同じであり、熱画像取得部１１による熱画像の取得、及び、撮像機器１３ａによる可視光の画像の取得を支援する装置であり、そのために、制御部１４ｈによる制御の下で、熱画像取得部１１及び撮像機器１３ａによる撮像の態様を変更する機構を有する。
【０１１８】
制御部１４ｈは、実施の形態１の制御部１４の機能に加えて、環境測定部２６で測定された環境に依存して深部体温推定部１２で用いられる深部体温推定アルゴリズムを変更する機能を有する。例えば、制御部１４ｈは、環境測定部２６で測定された温度に依存して深部体温推定部１２で推定される深部体温を補正するように深部体温推定アルゴリズムを変更する。具体的には、制御部１４ｈは、環境測定部２６で測定された温度が所定の温度を超える場合には、深部体温推定部１２で推定される深部体温が所定の温度だけ減算されるように深部体温推定アルゴリズムを変更する。これにより、環境温による影響が抑制された正確な深部体温が推定される。
【０１１９】
また、制御部１４ｈは、環境測定部２６で測定された環境に応じて測定支援部２０ａに対して動作指示を与えることで熱画像取得部１１及び撮像機器１３ａによる撮像の態様を変更させる動作指示を与える機能を有する。例えば、制御部１４ｈは、環境測定部２６による測定の結果、被測定者が所定値よりも低い照度の環境下にいることが判明した場合には、撮像機器１３ａに撮像時にフラッシュをたかせる、あるいは、露光時間を長くさせる動作指示を与える。これにより、暗い環境下でも撮像機器１３ａによって明瞭な画像が撮影され、確実に個人認証が行われる。
【０１２０】
このように、本変形例に係る深部体温測定装置１０ｈでは、制御部１４ｈは、環境測定部２６で測定された環境に依存して深部体温推定アルゴリズムを変更する。これにより、環境測定部２６で測定された環境に依存して深部体温推定アルゴリズムが変更されるので、環境による影響を加味して深部体温が補正され、より高い精度で深部体温が推定される。
【０１２１】
例えば、環境測定部２６は、温度計、湿度計、照度計及び風速計の少なくとも一つである。これにより、温度計で測定された温度等の環境に依存して深部体温推定アルゴリズムが変更されるので、環境による影響を加味したうえで推定される深部体温が補正され、より高い精度で深部体温が推定される。
【０１２２】
（変形例９）
次に、実施の形態１の変形例９に係る深部体温測定装置について説明する。
【０１２３】
図２１は、実施の形態１の変形例９に係る深部体温測定装置１０ｉの構成を示すブロック図である。深部体温測定装置１０ｉは、実施の形態１の深部体温測定装置１０に対して、制御部１４を新たな制御部１４ｉに置き換え、かつ、移動制御部２８を追加した構成を備える。以下、実施の形態１と異なる点を中心に説明する。
【０１２４】
移動制御部２８は、被測定者２の移動を制御する装置であり、例えば、深部体温測定装置１０ｉが設置された箇所を通過するように設けられた、空港等に設置される水平型エスカレータである。
【０１２５】
制御部１４ｉは、実施の形態１の制御部１４の機能に加えて、個人認証部１３による個人認証の結果に応じて移動制御部２８に対して動作指示を与えることで被測定者２の移動の態様を変更させる機能を有する。例えば、制御部１４ｉは、個人認証部１３の撮像機器１３ａによって移動制御部２８の上を歩行する被測定者が深部体温測定装置１０ｉに近づいたと検知されたときに、移動制御部２８に対して移動速度を減速させる動作指示を与える。これにより、被測定者が深部体温測定装置１０ｉに近づいたときに、移動制御部２８の移動速度が減速され、被測定者の移動速度も減速され、熱画像取得部１１によって明瞭な熱画像の画像が取得される。
【０１２６】
このように、本変形例に係る深部体温測定装置１０ｉでは、被測定者２の移動を制御する移動制御部２８が備えられ、制御部１４ｉは、個人認証部１３による個人認証の結果に応じて移動制御部２８に対して動作指示を与えることで被測定者２の移動の態様を変更させる。
【０１２７】
これにより、個人認証部１３による個人認証の結果に応じて被測定者２の移動の態様が変更されるので、例えば、水平型エスカレータに乗っている被測定者２の移動速度が熱画像の取得に好適となるように制御され、明瞭な熱画像が取得され、高い精度での深部体温の推定が可能になる。
【０１２８】
（実施の形態２）
次に、実施の形態２に係る深部体温測定システムを説明する。
【０１２９】
図２２は、実施の形態２に係る深部体温測定システム３０の構成を示すブロック図である。
【０１３０】
深部体温測定システム３０は、実施の形態１に係る深部体温測定装置の応用システムであり、深部体温測定装置１０、状態判断部３４、情報通信部３１、一般連絡先記憶部３２、及び、緊急連絡先記憶部３３を備える。
【０１３１】
深部体温測定装置１０は、実施の形態１に係る深部体温測定装置１０である。なお、深部体温測定システム３０を構成する深部体温測定装置としては、実施の形態１に係る深部体温測定装置１０に限られず、実施の形態１の変形例１〜９に係る深部体温測定装置のいずれであってもよい。
【０１３２】
状態判断部３４は、深部体温測定装置１０から出力された測定結果に基づいて被測定者２の状態を判断する処理部であり、例えば、ＲＯＭ、ＲＡＭ、ハードディスク等の補助記憶装置、ＲＯＭ及び補助記憶装置に格納されたプログラムを実行するプロセッサ、ディスプレイ及びキーボード等の入出力機器等で構成されるコンピュータ装置によって実現される。より詳しくは、状態判断部３４は、情報通信部３１を介して深部体温測定装置１０から出力された測定結果及び被測定者のＩＤを取得し、データベース部１５を参照することで、深部体温測定装置１０から出力された測定結果である深部体温が、データベース部１５に登録された被測定者の「正常時の深部体温」から第１の所定範囲内（例えば、±０．５℃以内）であるか、あるいは、第１の所定範囲を超え、かつ、第２の所定範囲内（例えば、±２℃以内）であるか、あるいは、第２の所定範囲内を超えるかを判定することで、それぞれ、被測定者の状態として、「正常」、「異常」、「緊急」と判断する。
【０１３３】
一般連絡先記憶部３２は、個人情報の開示が可能な連絡先が登録された記憶装置であり、例えば、連絡先として、オフィスへの応用であれば、自分、上司、また、保育園への応用であれば、母、父等の家族、また、老人ホームへの応用であれば、家族、スタッフ、医者、また、飛行機への応用であれば、自分、家族等のｅｍａｉｌアドレス及び電話番号が登録されたハードディスクである。なお、ここでいう「応用」とは、深部体温測定装置１０を適用する技術分野又はシステムのことである。
【０１３４】
緊急連絡先記憶部３３は、緊急連絡先が登録された記憶装置であり、例えば、緊急連絡先として、オフィスへの応用であれば、職場責任者、契約病院、また、保育園への応用であれば、母、父等の家族、また、老人ホームへの応用であれば、家族、スタッフ、医者、また、飛行機への応用であれば、グラウンドスタッフ、契約病院等のｅｍａｉｌアドレス及び電話番号が登録されたハードディスクである。
【０１３５】
情報通信部３１は、深部体温測定装置１０から出力された測定結果を通信によって外部に提供する処理部であり、例えば、深部体温測定装置１０及び状態判断部３４を実現するコンピュータ装置に備えられる通信インタフェースを含む処理部で実現される。情報通信部３１は、状態判断部３４による判断結果に応じて、深部体温測定装置１０の測定結果を一般連絡先記憶部３２に登録された連絡先に通知したり、緊急連絡先記憶部３３に登録された緊急連絡先に、深部体温測定装置１０から出力された測定結果を通知したり、ｗｅｂサーバとして深部体温測定システム３０の一般の利用者に情報を提供したりする。
【０１３６】
図２３Ａ〜図２３Ｃは、本実施の形態に係る深部体温測定システム３０の動作を示す図である。より詳しくは、図２３Ａは、ある被測定者の状態に関して状態判断部３４によって「正常」と判断された場合に、情報通信部３１によって提供される情報及び提供先を示す図である。図２３Ｂは、ある被測定者の状態に関して状態判断部３４によって「異常」と判断された場合に、情報通信部３１によって提供される情報及び提供先を示す図である。図２３Ｃは、ある被測定者の状態に関して状態判断部３４によって「緊急」と判断された場合に、情報通信部３１によって提供される情報及び提供先を示す図である。
【０１３７】
図２３Ａに示されるように、ある被測定者の状態に関して状態判断部３４によって「正常」と判断された場合には、この判断の対象となった測定結果に関して、情報通信部３１は、深部体温測定装置１０の測定結果を一般連絡先記憶部３２に登録された連絡先４０に通知する。これにより、被測定者自身、あるいは、その関係者は、ｅｍａｉｌ等で、被測定者の深部体温が正常であることの通知を受けることができる。
【０１３８】
また、この判断の対象となった測定結果に関して、情報通信部３１は、深部体温測定装置１０から出力された測定結果を多数の被測定者について集計して平均等を算出することで統計データを算出し、算出した統計データを、例えば、ｗｅｂサーバとして、深部体温測定システム３０の一般の利用者４１に提供する。これにより、深部体温測定システム３０の一般の利用者は、正常な人の深部体温の統計値を知ることができる。
【０１３９】
なお、状態判断部３４によって「正常」と判断された場合には、この判断の対象となった測定結果に関して、緊急連絡先記憶部３３に登録された緊急連絡先４２に通知されることはない。
【０１４０】
また、図２３Ｂに示されるように、ある被測定者の状態に関して状態判断部３４によって「異常」と判断された場合には、この判断の対象となった測定結果に関して、情報通信部３１は、深部体温測定装置１０の測定結果を一般連絡先記憶部３２に登録された連絡先４０に通知し、深部体温測定装置１０から出力された測定結果から統計データを算出し、算出した統計データを、例えば、ｗｅｂサーバとして、深部体温測定システム３０の一般の利用者４１に提供する。
【０１４１】
さらに、このケースでは、上記通知及び情報提供に加えて、情報通信部３１は、この判断の対象となった測定結果に関して、緊急連絡先記憶部３３に登録された緊急連絡先４２に、深部体温測定装置１０から出力された測定結果を通知する。これにより、被測定者の状態が異常であると判断された場合に、被測定者だけでなく、緊急連絡先に対しても被測定者の状態が異常であることが通知され、速やかに被測定者に対する措置を行うことが可能になる。
【０１４２】
また、図２３Ｃに示されるように、ある被測定者の状態に関して状態判断部３４によって「緊急」と判断された場合には、この判断の対象となった測定結果に関して、情報通信部３１は、深部体温測定装置１０の測定結果を一般連絡先記憶部３２に登録された連絡先４０に通知し、深部体温測定装置１０から出力された測定結果から統計データを算出し、算出した統計データを、例えば、ｗｅｂサーバとして、深部体温測定システム３０の一般の利用者４１に提供する。
【０１４３】
さらに、このケースでは、上記通知及び情報提供に加えて、情報通信部３１は、この判断の対象となった測定結果に関して、緊急連絡先記憶部３３に登録された緊急連絡先４２に、深部体温測定装置１０から出力された測定結果を通知する。加えて、情報通信部３１は、個人情報を除外したうえで、「緊急」状態の被測定者が発生したことを、例えば、ＳＡＲＳ（重症急性呼吸器症候群）が発生した緊急報告として、ｗｅｂサーバ等を通じて、深部体温測定システム３０の一般の利用者４１に提供する。これにより、被測定者の状態が緊急であると判断された場合に、被測定者だけでなく、緊急連絡先４２や深部体温測定システム３０の一般の利用者４１に対しても緊急報告が通知され、被測定者に対する措置及び感染防止措置を速やかに行うことが可能になる。
【０１４４】
なお、情報通信部３１による通知先及び情報提供先については、深部体温測定装置１０による測定結果の一項目（例えば、図７Ａの「データセキュリティ＆共有管理」）として、深部体温測定装置１０において記録され管理されてもよい。例えば、情報通信部３１は、通知及び情報提供を終えたときに、その通知先及び情報提供先を深部体温測定装置１０に報告することで、深部体温測定装置１０における記録及び管理が可能になる。
【０１４５】
以上のように、本実施の形態に係る深部体温測定システム３０は、実施の形態１に係る深部体温測定装置１０と、深部体温測定装置１０から出力された測定結果に基づいて被測定者２の状態を判断する状態判断部３４と、深部体温測定装置１０から出力された測定結果を通信によって外部に提供する情報通信部３１とを備える。
【０１４６】
これにより、深部体温測定装置１０から出力された測定結果に基づいて被測定者２の正常／異常等の状態が判断されるので、被測定者２の健康状態を直感的に把握することができる。また、深部体温測定装置１０から出力された測定結果が通信によって外部に提供されるので、遠隔にいる者でも被測定者２の結果を知ることができる。
【０１４７】
また、深部体温測定システム３０は、個人情報の開示が可能な連絡先が登録された一般連絡先記憶部３２を備え、情報通信部３１は、深部体温測定装置１０の測定結果を一般連絡先記憶部３２に登録された連絡先に通知する。
【０１４８】
これにより、深部体温測定装置１０の測定結果が予め登録された連絡先に自動で通知されるので、被測定者２の深部体温を遠隔の者に通知する操作が不要となる。
【０１４９】
また、情報通信部３１は、深部体温測定装置１０から出力された測定結果から統計データを算出し、算出した統計データを深部体温測定システム３０の一般の利用者に提供する。
【０１５０】
これにより、深部体温測定装置１０から出力された測定結果から算出された統計データが深部体温測定システム３０の一般の利用者にも提供されるので、一般の利用者は、深部体温についての統計値を知ることができる。
【０１５１】
また、情報通信部３１は、状態判断部３４によって被測定者２の状態が緊急であると判断された場合に、被測定者２の状態が緊急であることを、緊急連絡として、一般の利用者に通知する。
【０１５２】
これにより、被測定者２の状態が緊急であると判断された場合に、そのことが緊急連絡として深部体温測定システム３０の一般の利用者に通知されるので、例えば、ＳＡＲＳ患者が発見された等の緊急情報がいち早く一般の利用者に届けられる。
【０１５３】
また、深部体温測定システム３０は、緊急連絡先が登録された緊急連絡先記憶部３３を備え、情報通信部３１は、状態判断部３４によって被測定者２の状態が異常又は緊急であると判断された場合に、緊急連絡先記憶部３３に登録された緊急連絡先に、深部体温測定装置１０から出力された測定結果を通知する。
【０１５４】
これにより、被測定者２の深部体温に基づいて被測定者２の状態が異常又は緊急であると判断された場合に、予め登録された緊急連絡先に測定結果が通知されるので、被測定者２が関係する機関等が早い対応措置をとることができる。
【０１５５】
（変形例１）
次に、実施の形態２の変形例１に係る深部体温測定システムについて説明する。
【０１５６】
図２４は、実施の形態２の変形例１に係る深部体温測定システム３０ａの構成を示すブロック図である。深部体温測定システム３０ａは、実施の形態２の深部体温測定システム３０に対して、情報通信部３１を新たな情報通信部３１ａに置き換えた構成を備える。以下、実施の形態２と異なる点を中心に説明する。
【０１５７】
情報通信部３１ａは、実施の形態２の情報通信部３１の機能に加えて、オフィスシステム４４を介して、被測定者２が使用する電子機器４５と接続され、状態判断部３４によって判断された被測定者２の状態に応じて、電子機器４５に記録されたスケジュールを変更する機能を有する。
【０１５８】
オフィスシステム４４は、被測定者２が使用する電子機器４５を管理するシステムであり、例えば、被測定者２が属する会社に設置されるセキュリティシステム、スケジュール管理システム等である。
【０１５９】
電子機器４５は、スケジュール管理機能を有する機器であり、例えば、被測定者２が使用するパーソナルコンピュータ、スマートフォン等である。
【０１６０】
このような本変形例に係る深部体温測定システム３０ａによれば、状態判断部３４によって判断された被測定者２の状態に応じて、被測定者２が所有する電子機器４５に記録されたスケジュールが自動的に変更されるので、例えば、被測定者２が高熱を発した場合に、被測定者２のスケジュールがリアルタイムで変更される。具体的には、被測定者２の状態が「異常」又は「緊急」と判断された場合に、そのことが情報通信部３１ａからオフィスシステム４４のスケジュール管理システムを介して被測定者２の電子機器４５に通知され、その結果、予約された会議が自動的にキャンセルされ、そのことが会議の参加予定者に通知される。また、被測定者２の状態が「異常」又は「緊急」と判断された場合に、そのことが情報通信部３１ａからオフィスシステム４４の入退室セキュリティシステムを介して被測定者２の電子機器４５に通知され、その結果、特定の時間帯について、登録されたエリアに入ることが禁止される。
【０１６１】
（変形例２）
次に、実施の形態２の変形例２に係る深部体温測定システムについて説明する。
【０１６２】
図２５は、実施の形態２の変形例２に係る深部体温測定システム３０ｂの構成を示すブロック図である。深部体温測定システム３０ｂは、実施の形態２の深部体温測定システム３０に対して、情報通信部３１を新たな情報通信部３１ｂに置き換え、かつ、自動救命部４６を追加した構成を備える。以下、実施の形態２と異なる点を中心に説明する。
【０１６３】
自動救命部４６は、被測定者２の移動手段の手配４７ａに関する連絡、救命措置の手配４７ｂに関する連絡、及び、緊急連絡先４７ｃへの連絡を行う処理部であり、例えば、保険会社又は病院に設置される通信機能をもつコンピュータ装置である。
【０１６４】
情報通信部３１ｂは、状態判断部３４によって被測定者２の状態が異常又は緊急であると判断された場合に、自動救命部４６に通知することで、自動救命部４６を動作させる。
【０１６５】
これにより、状態判断部３４によって被測定者２の状態が異常又は緊急であると判断された場合に、自動救命部４６が動作するので、被測定者２の移動手段の手配４７ａに関する連絡、救命措置の手配４７ｂに関する連絡、及び、緊急連絡先４７ｃへの連絡が自動的に行なわれる。
【０１６６】
例えば、飛行機において状態判断部３４によって被測定者２の異常状態が検知されると、飛行機が目標地に到着するまでに、情報通信部３１ｂによって被測定者２の異常が病院に設置された自動救命部４６に通知される。自動救命部４６は移動手段の手配４７ａ及び救命措置の手配４７ｂを行う。これにより、飛行機の到着直後に、異常状態にある被測定者２はすぐに病院に運ばれる。さらに、緊急連絡先４７ｃとして、被測定者２が契約している保険会社に連絡が入り、病院への支払い決裁がスムーズに完了する。
【０１６７】
以上、本発明に係る深部体温測定装置、深部体温測定システム及び深部体温測定方法について、実施の形態及び変形例に基づいて説明したが、本発明は、これらの実施の形態及び変形例に限定されるものではない。本発明の主旨を逸脱しない限り、当業者が思いつく各種変形を本実施の形態及び変形例に施したものや、実施の形態及び変形例における一部の構成要素を組み合わせて構築される別の形態も、本発明の範囲内に含まれる。
【０１６８】
例えば、上記実施の形態及び変形例では、図１に示されるユーザインタフェース装置４が含まれなかったが、ユーザインタフェース装置４が深部体温測定装置に含まれてもよい。その際には、深部体温測定装置が備える制御部による制御の下で、深部体温測定装置と被測定者との間で各種対話が行われる。
【０１６９】
図２６は、ユーザインタフェース装置４を含む深部体温測定装置１０ｊの構成例を示すブロック図である。ここでは、実施の形態１に係る深部体温測定装置１０とユーザインタフェース装置４とを備える深部体温測定装置１０ｊの構成が示されている。
【０１７０】
ユーザインタフェース装置４は、タッチパネル付きディスプレイ等であり、深部体温測定装置１０が備える制御部１４による制御の下で、図２７Ａ〜図２７Ｃに示されるようなユーザインタフェースを提供する。
【０１７１】
図２７Ａでは、深部体温の測定結果を表示し、被測定者に対していくつかの入力を促す画面表示例が示されている。被測定者は、測定結果として表示された深部体温に対して問題がないか否かを選択したり、深部体温推定アルゴリズムとして別のものを希望する場合には別の深部体温推定アルゴリズムを選択したりすることができる。その選択結果は、深部体温推定アルゴリズムを変更するのに用いられる。
【０１７２】
図２７Ｂでは、測定の優先順位を選択するための画面表示例が示されている。被測定者は、測定の優先順位として、測定精度を優先するか、測定時間（短時間）を優先するか、システム（深部体温測定装置１０ｊ）に任せるか等を選択することができる。この選択結果は、深部体温推定アルゴリズムを変更するのに用いられる。
【０１７３】
図２７Ｃでは、撮影された画像の登録の可否、及び、測定結果の通知先の選択を促す画面表示例が示されている。被測定者は、撮像された自分の顔画像の登録を許可するか否かを選択したり、測定結果として得られた深部体温の通知先を選択したりすることができる。
【０１７４】
また、上記実施の形態及び変形例は、具体的な適用例として、図２８Ａ〜図２８Ｆに示されるような応用が可能である。
【０１７５】
図２８Ａは、深部体温測定装置１０を飛行機内に設置した例を示す図である。飛行機の搭乗者は、座席の前方に設置された深部体温測定装置１０によって深部体温が測定され、その結果を、座席の前方に設置されたディスプレイで確認することができる。
【０１７６】
図２８Ｂは、深部体温測定装置１０を自動車内に設置した例を示す図である。自動車の運転者は、ダッシュボード上部に設置された深部体温測定装置１０によって深部体温が測定され、その結果を、ダッシュボード内に設置されたディスプレイで確認することができる。
【０１７７】
図２８Ｃは、深部体温測定装置１０の室内への設置例を示す図である。室内のエアコンに深部体温測定装置１０が装備され、深部体温測定装置１０によって、室内にいる人の深部体温が測定される。
【０１７８】
図２８Ｄは、深部体温測定装置１０をスマートフォン等の携帯情報機器に組み込んだ例を示す図である。携帯情報機器のユーザは、携帯情報機器に組み込まれた深部体温測定装置１０によって測定された深部体温を携帯情報機器のディスプレイで確認することができる。
【０１７９】
図２８Ｅは、深部体温測定装置１０の高齢者設備に設置した例を示す図である。高齢者設備に設置された深部体温測定装置１０は、高齢者が使用する車椅子に設けられたＲＦＩＤと無線通信をすることで、高齢者の接近を検知し、その高齢者の深部体温を測定することができる。なお、車椅子に設けられたＲＦＩＤは、高齢者の個人認証に用いられてもよい。
【０１８０】
図２８Ｆは、深部体温測定装置１０を病院に設置した例を示す図である。病院内のベッド上方の壁に設置された深部体温測定装置１０は、ベッドにいる患者の深部体温を測定し、その測定結果を通信によって管理装置に通知することができる。
【０１８１】
また、上記実施の形態及び変形例に係る深部体温測定装置は、一つの筺体に収納される構成要素の集まりとして実現できるだけでなく、通信路を介して全部又は一部の構成要素が接続されて構成される分散形態でも実現できる。
【０１８２】
また、上記実施の形態に係る深部体温測定方法は、深部体温測定方法を構成する全部又は一部の工程をプログラムとして実現したり、そのプログラムを記録したコンピュータ読み取り可能なＤＶＤ等の記録媒体として実現したりすることもできる。
【産業上の利用可能性】
【０１８３】
本発明は、被測定者の深部体温を測定する深部体温測定装置及び深部体温測定システムとして、特に、熱画像を用いて従来よりも高い精度で深部体温を測定できる深部体温測定装置として、利用できる。
【符号の説明】
【０１８４】
２、２ａ〜２ｄ  被測定者
４  ユーザインタフェース装置
１０、１０ａ〜１０ｊ  深部体温測定装置
１１  熱画像取得部
１２  深部体温推定部
１３  個人認証部
１３ａ  撮像機器
１３ｂ、１３ｃ  認証処理部
１４、１４ａ〜１４ｅ、１４ｇ〜１４ｉ  制御部
１５  データベース（ＤＢ）部
２０、２０ａ  測定支援部
２２  高精度深部体温測定部
２４  入力部
２５  補助データベース（ＤＢ）部
２６  環境測定部
２８  移動制御部
３０、３０ａ、３０ｂ  深部体温測定システム
３１、３１ａ、３１ｂ  情報通信部
３２  一般連絡先記憶部
３３  緊急連絡先記憶部
３４  状態判断部
４０  連絡先
４１  一般の利用者
４２  緊急連絡先
４４  オフィスシステム
４５  電子機器
４６  自動救命部
４７ａ  移動手段の手配
４７ｂ  救命措置の手配
４７ｃ  緊急連絡先
【図１】
2018183564.tif 000003
【図２】
2018183564.tif 000004
【図３Ａ】
2018183564.tif 000005
【図３Ｂ】
2018183564.tif 000006
【図４】
2018183564.tif 000007
【図５】
2018183564.tif 000008
【図６Ａ】
2018183564.tif 000009
【図６Ｂ】
2018183564.tif 000010
【図７Ａ】
2018183564.tif 000011
【図７Ｂ】
2018183564.tif 000012
【図８】
2018183564.tif 000013
【図９Ａ】
2018183564.tif 000014
【図９Ｂ】
2018183564.tif 000015
【図９Ｃ】
2018183564.tif 000016
【図１０】
2018183564.tif 000017
【図１１】
2018183564.tif 000018
【図１２Ａ】
2018183564.tif 000019
【図１２Ｂ】
2018183564.tif 000020
【図１３】
2018183564.tif 000021
【図１４】
2018183564.tif 000022
【図１５】
2018183564.tif 000023
【図１６】
2018183564.tif 000024
【図１７】
2018183564.tif 000025
【図１８】
2018183564.tif 000026
【図１９】
2018183564.tif 000027
【図２０】
2018183564.tif 000028
【図２１】
2018183564.tif 000029
【図２２】
2018183564.tif 000030
【図２３Ａ】
2018183564.tif 000031
【図２３Ｂ】
2018183564.tif 000032
【図２３Ｃ】
2018183564.tif 000033
【図２４】
2018183564.tif 000034
【図２５】
2018183564.tif 000035
【図２６】
2018183564.tif 000036
【図２７Ａ】
2018183564.tif 000037
【図２７Ｂ】
2018183564.tif 000038
【図２７Ｃ】
2018183564.tif 000039
【図２８Ａ】
2018183564.tif 000040
【図２８Ｂ】
2018183564.tif 000041
【図２８Ｃ】
2018183564.tif 000042
【図２８Ｄ】
2018183564.tif 000043
【図２８Ｅ】
2018183564.tif 000044
【図２８Ｆ】
2018183564.tif 000045